(57)【要約】【課題】スキャンラインの互いに異なる抵抗により、素子の駆動時、各ピクセル間に明暗差を引き起こされることによる表示不良現象の発生を防ぐ。【解決手段】有機電界発光素子は、アノード電極302、有機材料層及びカソード電極304を含むアクティブ領域300と、アノード電極302に電気的信号を送るためにアノード電極302に接続されたデータライン311と、カソード電極304に電気的信号を送るためにカソード電極304に接続されたスキャンライン310a,310bを含み、各スキャンラインは、隣接したスキャンラインと、折曲部または一つの湾曲部により同じ長さとし、結果として同一抵抗となる。【選択図】  図４
2007173213.tif 000002
【特許請求の範囲】
【請求項１】
アノード電極、有機材料層及びカソード電極を含むアクティブ領域、
上記アノード電極に電気信号を送るために、上記アノード電極に接続されたデータライン、及び、
上記カソード電極に電気信号を送るために、上記カソード電極に接続されたスキャンラインを含み、各スキャンラインは隣接するスキャンラインと同じ長さを有する有機電界発光素子。
【請求項２】
上記スキャンラインは、少なくとも一つの折曲部を有する請求項１に記載の有機電界発光素子。
【請求項３】
上記スキャンラインの折曲回数は、その外側に形成されたスキャンラインの折曲回数より多い請求項２に記載の有機電界発光素子。
【請求項４】
上記スキャンラインの折曲部の折曲角度は、その外側に形成されたスキャンラインの折曲部の折曲角度より小さい請求項２に記載の有機電界発光素子。
【請求項５】
上記スキャンラインは、少なくとも一つの湾曲部を有する請求項１に記載の有機電界発光素子。
【請求項６】
上記スキャンラインの湾曲部は、その外側に形成されたスキャンラインの湾曲部の曲率半径より、小さい曲率半径を有する請求項５に記載の有機電界発光素子。
【請求項７】
上記カソード電極に接続されたスキャンラインは、アクティブ領域の両側部から交互に延びる請求項１に記載の有機電界発光素子。
【請求項８】
アクティブ領域の第１領域に配置された上記カソード電極に接続された一部スキャンラインが、アクティブ領域の一側部から延び、アクティブ領域の第２領域に配置された上記カソード電極に接続された他のスキャンラインが、アクティブ領域の他側部から延びる請求項１に記載の有機電界発光素子。
【請求項９】
上記カソード電極に接続された全スキャンラインは、アクティブ領域の一側部から延びる請求項１に記載の有機電界発光素子。
【請求項１０】
アノード電極、有機物層及びカソード電極を含むアクティブ領域、
上記アノード電極に電気信号を送るために、上記アノード電極に接続されたデータライン、及び、
上記カソード電極に電気信号を送るために、上記カソード電極に接続されたスキャンラインを含み、各スキャンラインは少なくとも一つの折曲部を有する有機電界発光素子。
【請求項１１】
上記ャンラインの折曲回数は、その外側に形成されたスキャンラインの折曲回数より多い請求項１０に記載の有機電界発光素子。
【請求項１２】
上記スキャンラインの折曲部の折曲角度は、その外側に形成されたスキャンラインの折曲部の折曲角度より小さい請求項１０に記載の有機電界発光素子。
【請求項１３】
アノード電極、有機材料層及びカソード電極を含むアクティブ領域、
上記アノード電極に電気信号を送るために、上記アノード電極に接続されたデータライン、及び、
上記カソード電極に電気信号を送るために、上記カソード電極に接続されたスキャンラインを含み、各スキャンラインは少なくとも一つの湾曲部を有する有機電界発光素子。
【請求項１４】
上記スキャンラインの湾曲部は、その外側に形成されたスキャンラインの湾曲部の曲率半径より、小さな曲率半径を有する請求項１３に記載の有機電界発光素子。
【発明の詳細な説明】
【技術分野】
【０００１】
本発明は有機電界発光素子に関する。特に、スキャンラインが同じ抵抗を有することによって、安定的に駆動できる有機電界発光素子に関するものである。
【背景技術】
【０００２】
有機電界発光は、有機材料（低分子または高分子）薄膜に、陰極を介して注入された電子が、陽極を介して正孔と再結合して励起子（exciton）を形成し、形成された励起子からのエネルギーにより、特定の波長の光が発生する現象である。
【０００３】
このような現象を用いた有機電界発光素子は、図１で表されるような基本的な構造からなっている。有機電界発光素子の基本的な構成は、ガラス基板２００、ガラス基板２００上部に形成され、アノード電極として用いられるインジウムスズ酸化物層１０２（Indium Tin Oxide film；‘ＩＴＯ層’）、絶縁層と有機材料層及びカソード電極である金属層１０４が、順次に積層された構造である。各隔壁（未図示）は、ＩＴＯ層１０２上に多数の金属層１０４を分離された状態で蒸着するために形成される。
【０００４】
図２は、図１に図示された有機電界発光素子の横断面図であり、便宜上図１に図示された素子にキャップ１０６を貼り付けた状態を図示した。図１で表されるように、多数のＩＴＯ層１０２（アノード電極）と多数の金属層１０４（カソード電極）が形成されているアクティブ領域１００の外側部分には、多数のアノード電極１０２及びカソード電極１０４と、それぞれ接続された多数のデータライン１１１及びスキャンライン１１０ａ、１１０ｂが形成される。図２で説明していない符号１０８は、接着剤１０７によってキャップ１０６内部表面に付着された、吸湿機能を有するゲッターである。
【０００５】
一方、図１には便宜上、４個のアノード電極１０２及び４個のデータライン１１１、４個のカソード電極１０４、４個のスキャンライン１１０ａ、１１０ｂのみを図示しているが、実際には、それ以上の電極及びラインが形成されている。
【０００６】
図３は、キャップ１０６を除いて、図１に図示された有機電界発光素子の全体的な平面図であり、実際の有機電界発光素子の構造を図示している。図３で表されるように、アクティブ領域１００のアノード電極１０２にそれぞれ接続された多数のデータライン１１１は、ほとんど同じ長さからなり、その終端部がパッド（接続）部Ｐに位置する。
【０００７】
しかし、カソード電極１０４の終端にそれぞれ接続された多数のスキャンライン１１０ａ、１１０ｂは、アクティブ領域１００の両側領域に延び、その終端部がアクティブ領域１００の下端部に形成されたパッド部Ｐに位置する。
【０００８】
このような構造、即ち、各スキャンライン１１０ａ、１１０ｂの延長方向及びパッド部Ｐの位置によって、各スキャンライン１１０ａ、１１０ｂの長さは、互いに異なる。即ち、同じ領域に形成されたスキャンライン１１０ａまたはスキャンライン１１０ｂで、最も外側のスキャンラインは、最も長い長さであり、アクティブ領域１００に隣接するスキャンラインは、最も短い長さである。
【０００９】
このように、各スキャンライン１１０ａ、１１０ｂの長さが、その位置によって互いに異なり、結果的に各スキャンラインの抵抗も互いに異なる。
一般に、データ電流は、データライン、ピクセル及びスキャンラインを介して接地に流れるので、スキャンラインの抵抗は、該当ピクセルのカソード電圧に影響、即ち、ピクセルの輝度に影響を及ぼす。
【００１０】
従って、スキャンライン１１０ａ、１１０ｂの抵抗が異なる場合、同じ電流がピクセルに印加されるにもかかわらず、ピクセルが互いに異なる輝度で光を発する。結果的に、各スキャンラインの互いに異なる抵抗は、素子の駆動時、各ピクセル間に明暗差を引き起こし、これにより、表示不良現象が発生する。
【発明の開示】
【発明が解決しようとする課題】
【００１１】
本発明は有機電界発光素子を構成する各スキャンラインの抵抗差及びこれによって現れる問題点を解決するためのものであり、同じ抵抗を有する多数のスキャンラインを含む有機電界発光素子を提供することをその目的とする。
【課題を解決するための手段】
【００１２】
上記目的を実現するため、本発明に係る有機電界発光素子は、アノード電極、有機材料層及びカソード電極を含むアクティブ領域、アノード電極に電気信号を送るためにアノード電極に接続されたデータライン、及びカソード電極に電気信号を送るためにカソード電極に接続されたスキャンラインを含み、各スキャンラインは隣接するスキャンラインと同じ長さを有する。
【００１３】
本発明に係る有機電界発光素子で、スキャンラインは少なくとも一つの折曲部を有し、スキャンラインの折曲回数は、その外側に形成されたスキャンラインの折曲回数より多い。また、スキャンラインの折曲部の折曲角度は、その外側に形成されたスキャンラインの折曲部の折曲角度より小さい。
【００１４】
また、本発明に係る有機電界発光素子で、スキャンラインは少なくとも一つの湾曲部を有し、スキャンラインの湾曲部は、その外側に形成されたスキャンラインの湾曲部の曲率半径より小さな曲率半径を有する。
【発明を実施するための最良の形態】
【００１５】
以下、本発明を、添付図面を参照してさらに詳細に説明する。
図４で示されるような本発明に係る有機電界発光素子で、基板４００上に形成された多数のデータライン３１１とスキャンライン３１０ａ、３１０ｂが、アノード電極３０２とカソード電極３０４を含むアクティブ領域３００外側に配置される。データライン３１１とスキャンライン３１０ａ、３１０ｂは、アノード電極３０２とカソード電極３０４に電気的に接続される。
【００１６】
図４で表されるように、アノード電極３０２に接続された多数のデータライン３１１は、実質的に同長さを有し、その終端部が接続部Ｐ上に整列される。
【００１７】
本発明の最も重要な特徴は、スキャンラインの長さが同一になるように、スキャンライン３１０ａ、３１０ｂが非線形部分を有し、従って、全スキャンラインは同じ抵抗を有する。
【００１８】
図５は、図３の‘Ａ’部分に対応する詳細図であり、便宜上、本発明に係る有機電界発光素子を構成するスキャンラインの一部だけを図示した。一方、図５で、参照符号（３１０ａ−１）、（３１０ａ−２）、・・・、（３１０ａ−ｎ）は、スキャンラインを表す。
【００１９】
図４及び図５で表されるように、アクティブ領域（図４の３００）に最も隣接する領域に形成された、最も内側のスキャンライン３１０ａ−１（以下、‘第１スキャンライン’と称する）は、数回折り曲げられており、第１スキャンライン３１０ａ−１の外側に形成されたスキャンライン３１０ａ−２（以下、‘第２スキャンライン’と称する）も、数回折り曲げられている。しかし、第２スキャンライン３１０ａ−２の各折曲部の折曲角度は第１スキャンライン３１０ａ−１の各折曲部の折曲角度より大きく、また、第２スキャンライン３１０ａ−２の折曲回数は、第１スキャンライン３１０ａ−１の折曲回数より少ないことがある。従って、第２スキャンライン３１０ａ−２の全長は、第１スキャンライン３１０ａ−１の全長と同一である。
【００２０】
このような構造を全スキャンラインに適用することによって、一つのスキャンラインの長さは、隣接するスキャンラインの長さと同様になる。従って、全スキャンライン３１０ａ−１、３１０ａ−２、・・・、３１０ａ−ｎは、同じ長さ及び同一抵抗を有する。
【００２１】
ここで、スキャンライン３１０ａ−１、３１０ａ−２、・・・、３１０ａ−ｎの終端は、接続部（図４のＰ）上に配置しなければならない。
【００２２】
一方、図５では、スキャンラインが所定の角度で折曲げされることによって、全スキャンライン３１０ａ−１、３１０ａ−２、・・・、３１０ａ−ｎが、同じ長さを有することを図示しているが、本発明はスキャンラインのこのような構成に限定されるものではない。
【００２３】
図６は図５に対応する図面であり、本発明に係る有機電界発光素子を構成するスキャンラインの他の構成を図示する。図６で表されるように、各スキャンライン３２０ａ−１、３２０ａ−２、・・・、３２０ａ−ｎは、少なくとも一つの湾曲部を有していてもよい。この時、スキャンライン３２０ａ−１、３２０ａ−２、・・・、３２０ａ−ｎの湾曲部の曲率半径は、互いに異なる。
【００２４】
即ち、例えば、アクティブ領域（図４の３００）に隣接する第１スキャンライン３２０ａ−１の湾曲部の曲率半径は、第１スキャンライン３２０ａ−１の外側に形成された第２スキャンライン３２０ａ−２の湾曲部の曲率半径より小さい。
【００２５】
このような構造をあらゆるスキャンラインに適用することによって、あるスキャンラインの長さは、隣接したスキャンラインの長さと同一であり、従ってあらゆるスキャンライン３２０ａ−１、３２０ａ−２、・・・、３２０ａ−ｎは、同じ長さ及び同一抵抗を持つ。
【００２６】
ここで、スキャンライン３１０ａ−１、３１０ａ−２、・・・、３１０ａ−ｎの終端部は、接続部(図４のＰ)上に配置されなければならない。
【００２７】
本発明の適用範囲は、上記説明から明らかになるものである。しかし、本発明の思想及び範囲内での様々な変形及び変更は、詳細な説明から、本技術分野の当業者に取って明白であるため、本発明の好ましい実施例を示す詳細な説明及び特徴例は、単に、説明のために提示されたものである。
【００２８】
例えば、図４はカソード電極３０４に接続されたスキャンライン３１０ａ、３１０ｂが、アクティブ領域３００の両側から交互に延びた有機電界発光素子の構成を図示しているが、本発明を全スキャンラインがアクティブ領域の一側部から延びた構造を有する有機電界発光素子に適用することができる。
【００２９】
また、本発明は、アクティブ領域の第１領域に配置され、カソード電極に接続された一部のスキャンラインが、アクティブ領域の一側部から延び、アクティブ領域の第２領域に配置され、カソード電極に接続された他のスキャンラインが、アクティブ領域の他側部から延びた有機電界発光素子に適用することができる。
【００３０】
さらに、本発明が、多数の金属配線を有する様々な表示素子に適用される場合、全ての金属配線は、同じ長さ及び同じ抵抗を有することになる。
【００３１】
上記説明の構造を有する有機電界発光素子で、例えば、第１スキャンラインが接地されるとき、第１スキャンラインを介して流れる電流の大きさと、第２スキャンラインが接地されるとき、第２スキャンラインを介して流れる電流の大きさとが同じである場合、第１スキャンラインと第２スキャンラインの抵抗が同一なので、第１スキャンラインと関連した第１ピクセルのカソード電圧と第２スキャンラインと関連した第２ピクセルのカソード電圧とが、実質的に同一になる。結果的に、第１ピクセルと第２ピクセルに同じ大きさのデータ電流が提供されれば、装置の動作時、第１ピクセルと第２ピクセルは、同じ輝度で発光する。
【００３２】
以上、説明した本発明は、例示の目的のために開示されたものであり、本発明に対する通常の知識を有した当業者であるならば、本発明の思想と範囲内で様々な修正、変更、付加が可能である。従って、このような修正、変更及び付加は本発明の特許請求の範囲に属するものである。
【図面の簡単な説明】
【００３３】
【図１】有機電界発光素子の基本的な構造を、概略的に示す平面図である。
【図２】図１に示す、キャップ付き有機電界発光素子の断面図である。
【図３】図１に示す、有機電界発光素子の全体的な平面図である。
【図４】本発明に係る有機電界発光素子の基本構造を、概略的に示す平面図である。
【図５】図３の‘Ａ’部分に対応する詳細図で、図４に示す有機電界発光素子を構成する一部のスキャンラインだけを示す。
【図６】図５に対応する図面で、本発明に係る有機電界発光素子を構成するスキャンラインの他の構成を示す。
【符号の説明】
【００３４】
３００  アクティブ領域
３０２  アノード電極
３０４  カソード電極
３１０ａ、３１０ｂ  スキャンライン
３１１  データライン
４００  基板
Ｐ  接続部
【図１】
2007173213.tif 000003
【図２】
2007173213.tif 000004
【図４】
2007173213.tif 000005
【図５】
2007173213.tif 000006
【図６】
2007173213.tif 000007
【図３】
2007173213.tif 000008